(57)【要約】      （修正有）【課題】中の荷物を安定的に収容できるバッグを提供する。【解決手段】背中に背負うタイプのバッグ１０において、少なくとも１つのメインコンパートメントと、前記メインコンパートメントの内面に固定され、収容される荷物を保持するベルト状の保持部材１００とを備えている。【選択図】図２
2019010249.tif 000002
【特許請求の範囲】
【請求項１】
背中に背負うタイプのバッグにおいて、
少なくとも１つのコンパートメントと；
前記コンパートメントの内面に固定され、収容される荷物を保持するベルト状の保持部材とを備えたことを特徴とするバッグ。
【請求項２】
前記保持部材は、前記コンパートメントの内面の背中側の部分に固定されていることを特徴とする請求項１に記載のバッグ。
【請求項３】
前記保持部材は、第１及び第２の端部を有し、
前記第１及び第２の端部同士を面ファスナーで連結することによって、荷物を固定する構造であることを特徴とする請求項１又は２に記載のバッグ。
【請求項４】
前記保持部材は、前記コンパートメントの下側に配置されることを特徴とする請求項１乃至３の何れか一項に記載のバッグ。
【請求項５】
前記保持部材を構成するベルトは、荷物を固定するのに十分な幅を有することを特徴とする請求項１乃至４の何れか一項に記載のバッグ。
【請求項６】
前記保持部材を構成するベルトの幅は、Ａ４サイズの書類の縦方向の長さの半分以上であることを特徴とする請求項５に記載のバッグ。
【請求項７】
前記コンパートメントは、上下方向で２つに仕切られ、又は、独立した２つのコンパートメントとして構成され、
前記保持部材が、少なくとも上側のコンパートメントに設けられていることを特徴とする請求項１乃至６の何れか一項に記載のバッグ。
【請求項８】
前記コンパートメントは、上下方向で２つに仕切られ、又は、独立した２つのコンパートメントとして構成され、
前記保持部材が、少なくとも下側のコンパートメントに設けられていることを特徴とする請求項１乃至６の何れか一項に記載のバッグ。
【請求項９】
バッグ本体部の一側面から上面に連続的に延びるファスナーが形成され、
前記ファスナーを開くことにより、前記コンパートメントへの荷物の出し入れが可能となっていることを特徴とする請求項１乃至８の何れか一項に記載のバッグ。
【請求項１０】
前記ファスナーは、前記バッグ本体部の上面において、斜め対角線方向に延びることを特徴とする請求項９に記載のバッグ。
【請求項１１】
当該バッグの背面には、前記保持部材に対応する位置付近にクッションパッドが設けられていることを特徴とする請求項１乃至１０の何れか一項に記載のバッグ。
【発明の詳細な説明】
【技術分野】
【０００１】
本発明は、バックパック等の背中に背負うタイプのバッグに関する。
【背景技術】
【０００２】
小学生、中学生、高校生等の児童・生徒は、多くの教科書を毎日学校に持って行くため、カバンがどうしても重くなってしまう。また、社会人においても、膨大な資料やノートパソコン等の重たい荷物をカバンに入れて通勤する場合が多い。そのため、手提げカバンではなく、リュックタイプのカバン（バックパック）を使用するケースが増えてきている。
【０００３】
しかしながら、バッグの中に教科書、ノート、上履き、体育着等をバランス良く整頓して収容するのは容易ではない。また、重たい教科書、ノート、書類、ノートパソコン等は、バックの中で動いてしまい、最初は整理して収容していても、途中で中身がばらばらになってしまう。特に、大きなコンパートメントを有するバックパックの場合には、その傾向が強い。バッグの中で収容物が動くと、背負っている使用者にとって不快なだけでなく、重心の偏り、変動によりバランスが不安定になり、歩き難くなる場合がある。特に、身体の小さな子供の場合には、子供自身がバランスを崩してよろけたり、転んでしまう危険すらある。
【発明の開示】
【発明が解決しようとする課題】
【０００４】
本発明は、上記のような状況に鑑みてなされたものであり、荷物を安定的に収容可能なバック提供することを目的とする。
【課題を解決するための手段】
【０００５】
上記目的を達成するために、本発明は、背中に背負うタイプのバッグにおいて、少なくとも１つのメインコンパートメントと；前記メインコンパートメントの内面に固定され、収容される荷物を保持するベルト状の保持部材とを備えている。
【０００６】
前記保持部材は、前記メインコンパートメントの内面の背中側の部分に固定することができる。
【０００７】
前記保持部材は、第１及び第２の端部を有し、前記第１及び第２の端部同士を面ファスナーで連結することによって、荷物を固定する構造とすることができる。
【０００８】
前記保持部材は、前記メインコンパートメントの下側に配置することができる。
【０００９】
前記保持部材を構成するベルトは、荷物を固定するのに十分な幅を有することが好ましい。例えば、ベルトの幅は、Ａ４サイズの書類の縦方向の長さの半分以上とする。
【００１０】
前記メインコンパートメントは、上下で２つに仕切られ、又は、独立した２つのコンパートメントとして構成され、
前記保持部材が、少なくとも上側のコンパートメントに設けられる構造を採用することができる。
【００１１】
前記メインコンパートメントは、上下で２つに仕切られ、又は、独立した２つのコンパートメントとして構成され、
前記保持部材が、少なくとも下側のコンパートメントに設けられる構造を採用することができる。
【００１２】
バッグ本体部の一側面から上面に連続的に延びるファスナーが形成され、
前記ファスナーを開くことにより、前記メインコンパートメントへの荷物の出し入れが可能となる。この時、前記ファスナーは、前記バッグ本体部の上面において、斜め対角線方向に延びることが好ましい。
【００１３】
当該バッグの背面には、前記保持部材に対応する位置付近にクッションパッドを設けることが好ましい。
【図面の簡単な説明】
【００１４】
【図１】図１は、本発明の実施例に係るバックパックの構造を示す正面図、左側面図、右側面図、上面図、底面図、背面図である。
【図２】図２は、本発明の実施例に係るバックパックの構造を示す正面図、右側面図、上面図であり、上側のフラップ（蓋）を開いた状態を示す。上面図においては、フラップを省略して示す。
【図３】図３は、本発明の実施例に係るバックパックの構造を示す背面図である。
【図４】図４は、本発明の実施例に係るバックパックの主要部であるバッグ内部の構造を示し、（Ａ）が簡易斜視図、（Ｂ）が上面図、（Ｃ）が正面図である。
【図５】図５（Ａ）、（Ｂ）は、本発明の他の実施例に係るバックパックの内部の構造を示す正面図である。
【発明を実施するための最良の形態】
【００１５】
以下、本発明について、通学用のバックパックを例に採って説明する。なお、本発明は、通学用のバッグに限らず、ビジネス用のバッグや、アウトドア用のリュック等にも適用できるものである。
【００１６】
図１に示すように、本発明の実施例に係るバックパックは、概ね箱形のバッグ本体１０と；バッグ本体１０の背面上部に取り付けられたショルダーストラップ１２と；バッグ本体１０の背面下部に取り付けられ、ショルダーストラップ１２と連結される調整ストラップ１４と；バッグ本体１０の上面を覆う上面フラップ１６と；バッグ本体１０の背面上縁部に固定された上部持ち手１８と；バッグ本体１０の前面中央付近に縦方向に延びる前面持ち手２０と；バッグ本体１０の背面下側に設けられた２つのクッションパッド３２とを備えている。
【００１７】
ここで、バッグ本体１０は、柔軟なナイロン生地を縫製することによって成形され、メインのコンパートメントの他に、奥行きの浅い表面側のコンパートメント（ポケット）、底部付近に設けられたカバー収納コンパートメント２６とを備えている。バッグ本体１０の左側面には、ペットボトル等の小物を収納できるオープンタイプのポケット２４が設けられている。また、カバー収納コンパートメント２６には、バッグ全体を覆うカバーが収納されている。カバー（図示せず）は、雨の日にバッグが濡れないようにバッグ全体を覆うものであり、一端がカバー収納コンパートメント２６の内面に固定され、バッグ本体１０の前面側から引き出して、バッグ全体を覆うように使用する。
【００１８】
ショルダーストラップ１２は、ナイロン生地を縫製することによって成形され、クッション性を持たせるために内部にスポンジ等のクッション材を入れることができる。なお、図１においては、ショルダーストラップ１２の下側部分を省略して示す。クッションパッド３２は、後述する保持ベルト１００に対応する位置（高さ）に固定される。これによって、教科書等の固い荷物が使用者の背中に当たっても痛くないように工夫されている。
【００１９】
図３に示すように、ショルダーストラップ１２は、左右一体に成形されており、中間部分がバッグ本体１０の上部に連結されている。この中間部分（上端部）に一定の幅を持たせてバッグ本体１０に固定することにより、ショルダーストラップ１２の耐久性が向上するとともに、背負ったときの左右方向のブレが少なく安定感が増すものである。ショルダーストラップ１２は、また、中間部分（上端部）から湾曲しつつ外側に広がるように延び、肩周りを包み込むように使用者の背中にフィットする構造となっている。
【００２０】
バッグ本体１０の前面の右側には、上述した表面側のコンパートメント（ポケット）を開閉するファスナー２８が設けられ、当該コンパートメント（ポケット）に対して荷物の出し入れができるようになっている。バッグ本体１０の右側面には、上縁部からカバー収納コンパートメント２６まで達するファスナー３０が設けられ、メインコンパートメントを開閉できるようになっている。なお、ファスナー３０は後述するようにバッグ本体１０の上面にも連続的に延びている（図２参照）。
【００２１】
図２に示すように、バッグ本体１０上面には、右側面に形成されたファスナー３０から連続的に延びる上面ファスナー部３６が設けられている。この１本のファスナー（３０，３６）によって、バッグ本体１０のメインコンパートメントが大きく開くようになっている。このファスナー３６は、バッグ本体１０の上面においては右側手前から左側後方に向かって対角線状に延びており、開口部を大きくする工夫がなされている。
なお、メインコンパートメントを開閉するためのファスナーの位置としては、バッグ本体１０の右側面の下端から上方に延び、上面を幅方向に横断し、更に左側面の上端から下端に延びるように設ける等、他の形態を採用することもできる、
【００２２】
上面フラップ１６は、内側に設けられた面ファスナー（雄又は雌）４２が、バッグ本体１０の前面に設けられた面ファスナー（雌又は雄）４４と接着可能となっている。上面フラップ１６の内側には、メッシュ状の収納ポケット３８が設けられ、ファスナー４０によって開閉可能となっている。
【００２３】
図４は、本実施例に係るバックパックのメインコンパートメント内部の様子を示し、（Ａ）が主要部品である保持ベルト１００の簡易斜視図、（Ｂ）がメインコンパートメントを上からの除いた様子を示す上面図、（Ｃ）がメインコンパートメント内部の背面側を正面から観察した様子を示す。メインコンパートメント内部の背面側には、メッシュ状の内部ポケット１０６と、保持ベルト１００が設けられている。
【００２４】
内部ポケット１０６は、メインコンパートメントの高さ方向の中心よりも上側の位置に設けられている。一方、保持ベルト１００は、メインコンパートメントの高さ方向の中心よりも下側の位置に設けられている。
【００２５】
保持ベルト１００は、主に、教科書やノート、ノートパソコン等の比較的重い荷物を固定するために使用することが好ましく、例えば、Ａ４サイズの教科書の少なくとも半分を覆う程度の幅（高さ）を有するように設計される。本実施例においては、保持ベルト１００によって固定される荷物の下端は、メインコンパートメントの底部に接触する場合が多い。保持ベルト１００の端部には、面ファスナー１０２，１０４が取り付けられ、荷物の厚さ、大きさに応じて、端部をずらして調整しながら固定できるようになっている。保持ベルト１００の裏側の対応する位置に、上述したクッションパッド３２が配置される。
【００２６】
保持ベルト１００は、伸縮性を持たないナイロン、綿、ポリエステル等の生地で成形することもできるが、伸縮性のある生地で成形することもできる。保持ベルト１００に伸縮性を持たせることで、固定すべき荷物の大きさの許容範囲を広げることができる。また、荷物を優しく保持できるため、帽子、野球のグラブ、靴等の潰したくない荷物を固定する場合に好都合である。なお。保持ベルト１００の上から別のベルトで更に締め付けるように構成することも可能である。
【００２７】
図４に示す例においては、保持ベルト１００の位置は固定されているが、これに限定されるものではない。例えば、保持ベルト１００を上下方向にスライド可能とし、使用者の好きな場所に移動させた後に、バッグ本体１０の内面に対して面ファスナー等で固定して使用することができる。
【００２８】
図５（Ａ）、（Ｂ）は、本発明の他の実施例に係るバックパックの内部の構造を示す正面図である。ここに示した例は、保持ベルト１００の配置に関する変形例である。
（Ａ）図の例では、メインコンパートメントを仕切り部材１０８によって上下に２分割し、下側の空間に保持ベルト１００を固定したものである。例えば、下側の空間に比較的重たい教科書等を収納し、上側の空間には潰れやすいものを収納する際に便利である。なお、メインコンパートメントの分割は、完全に別個の２つのコンパートメントを単純に重ねるようにして達成することもできる。
【００２９】
他方、（Ｂ）図の例では、メインコンパートメントを仕切り部材１０８によって上下に２分割し、上側の空間に保持ベルト１００を固定したものである。例えば、上側の空間に比較的重たい教科書等を収納し、下側の空間には軽い荷物を収納するような使用形態が想定される。この場合には、バッグの重心が上にくるため、当該バッグを背負ったときに肩への負荷が軽減されるというメリットがある。なお、（Ｂ）図のような場合には、クッションパッド３２を保持ベルト１００に対応する高さに追加するか、移動させることができる。
【００３０】
以上、本発明の実施例について説明したが、本発明はこれらの実施例に何ら限定されるものではなく、特許請求の範囲に示された技術的思想の範疇において変更可能なものである。
【図１】
2019010249.tif 000003
【図２】
2019010249.tif 000004
【図３】
2019010249.tif 000005
【図４】
2019010249.tif 000006
【図５】
2019010249.tif 000007